(57)【特許請求の範囲】
【請求項１】
書換え可能なメモリを備え、複数の電源とこれらの電源をオンオフするための電源スイッチとを有する光学装置において、
前記メモリの書換えを実行すると判断したら、前記メモリの書換え動作時に所定の使用電力量を超えないように前記複数の電源のうち少なくとも１つを前記電源スイッチによりオフにする制御手段を有することを特徴とする光学装置。
【請求項２】
前記書換え動作に不必要な電源は、レンズ駆動用電源またはシャッタ駆動用電源またはＶＡＰ駆動用電源または防振部材ロック用電源であることを特徴とする請求項１に記載の光学装置。
【請求項３】
複数の構成要素と前記複数の構成要素を駆動する複数の駆動手段と、書換え可能なメモリと、バッテリから送られてきた電力を複数に分けて前記複数の駆動手段と前記メモリとにそれぞれ電力を供給する電源回路と、前記電源回路から前記複数の駆動手段及び前記メモリへの電力供給の許可と遮断とを切り換える切換手段と、を有する光学装置において、
前記メモリの書換えを実行すると判断したら、前記切換手段により、前記メモリへの電力供給を許可し所定の使用電力量を超えないように前記複数の駆動手段のうち少なくとも１つへの電力供給を遮断する制御手段を有することを特徴とする光学装置。
【請求項４】
前記複数の構成要素は、ズームレンズ、フォーカスレンズ、防振を行うための防振部材、前記防振部材をロックするロック手段、絞り、シャッタのうち少なくとも２つを含むことを特徴とする請求項３に記載の光学装置。
【請求項５】
請求項１乃至４のいずれか１項に記載の前記光学装置を用いたカメラシステム。
【発明の詳細な説明】
【技術分野】
【０００１】
本発明は、不揮発性のメモリを備え、省エネ、誤動作防止を行う光学装置に関するものである。
【背景技術】
【０００２】
近年、デジタルカメラやビデオカメラにはフラッシュメモリを搭載したものが多く登場している。これらのカメラやレンズには、製品出荷後にもファームをＲＯＭデータで提供することで、最新のファームウエアに変更することができるファームアップデート機能を搭載した製品も知られている。
【０００３】
このファームアップデート時には、フラッシュメモリの消去・書換え動作を行う際に、従来のＥＥＰＲＯＭと比較して大電流が流れ、書換え途中でバッテリの容量が低い場合などにより、電圧低下により途中で止まってしまうことがある。
【０００４】
これを防ぐための従来の技術として特許文献１が知られている。この特許文献１では、フラッシュメモリの書換え時の動作可能電圧レベルと、システム動作時の動作可能電圧レベルとを異ならせて、必要なレベルにバッテリが達しているかどうか確認して、書換え動作を行っている。
【０００５】
【特許文献１】特開２００１−７５８７５号公報
【発明の開示】
【発明が解決しようとする課題】
【０００６】
しかしながら上述の従来例では、書換え可能電圧レベル自体の削減はなされておらず、バッテリ残量が或るレベル以上なければ書換え動作が行えない。また、通常動作に使われている駆動部材に対する考慮がなされていない。
【０００７】
本発明の目的は、フラッシュメモリ書換え時に必要な電力を削減し、書換え時の不用意に動作する可能性のある部材の安全性を確保し、フラッシュメモリの記憶を消去し、新しいファームウエアを書換えることができる光学機器を提供することにある。
【課題を解決するための手段】
【０００８】
上記目的を達成するための本発明に係る光学装置は、書換え可能なメモリを備え、複数の電源とこれらの電源をオンオフするための電源スイッチとを有する光学装置において、前記メモリの書換えを実行すると判断したら、前記メモリの書換え動作時に所定の使用電力量を超えないように前記複数の電源のうち少なくとも１つを前記電源スイッチによりオフにする制御手段を有することを特徴とする。
また、上記目的を達成するための本発明に係る光学装置は、複数の構成要素と前記複数の構成要素を駆動する複数の駆動手段と、書換え可能なメモリと、バッテリから送られてきた電力を複数に分けて前記複数の駆動手段と前記メモリとにそれぞれ電力を供給する電源回路と、前記電源回路から前記複数の駆動手段及び前記メモリへの電力供給の許可と遮断とを切り換える切換手段と、を有する光学装置において、前記メモリの書換えを実行すると判断したら、前記切換手段により、前記メモリへの電力供給を許可し所定の使用電力量を超えないように前記複数の駆動手段のうち少なくとも１つへの電力供給を遮断する制御手段を有することを特徴とする。
【発明の効果】
【０００９】
以上説明したように本発明に係る光学装置によれば、ファームアップデート中に、不必要な電源スイッチをオフにすることによって、フラッシュＲＯＭの書換え時に消費される電力を削減し、書換え可能な電圧レベルの削減を行うことができる。
【発明を実施するための最良の形態】
【００１０】
本発明を図示の実施例に基づいて詳細に説明する。
【実施例１】
【００１１】
図１はレンズ交換式ビデオカメラにおけるブロック回路構成図である。このレンズ交換式ビデオカメラはレンズユニット１とカメラユニット２から構成され、両ユニット１、２は電気的な接点を持ったマウント部を介して自由に着脱できるようになっている。
【００１２】
レンズユニット１において、光軸上にＶＡＰ（バリアングルプリズム）１１、固定レンズ１２、ズームレンズ１３、絞り１４、シャッタ１５、第３レンズ１６、フォーカスレンズ１７が配列されている。レンズユニット１内のレンズマイコン２０の出力は、ＶＡＰ駆動手段２１を介してＶＡＰ１１、ズームレンズ駆動手段２２を介してズームレンズ１３に接続されている。更に、レンズマイコン２０の出力は、絞り駆動手段２３を介して絞り１４に、シャッタ駆動手段２４を介してシャッタ１５に、フォーカスレンズ駆動手段２５を介してフォーカスレンズ１７に接続されている。
【００１３】
また、レンズマイコン２０の出力は、ＶＡＰロック駆動手段２６を介してＶＡＰ１１及び電源スイッチ２７に接続され、更にレンズマイコン２０には不揮発性メモリから成るフラッシュＲＯＭ２８が接続されている。
【００１４】
一方、カメラユニット２には、レンズユニット１の光学系を介した像を検出するＣＣＤ等から成る撮像素子３１が設けられ、その出力は撮像処理手段３２、記録処理手段３３に接続されている。また、撮像処理手段３２の出力は光量検出手段３４を介してカメラマイコン３５に接続され、撮像処理手段３２と記録処理手段３３はカメラマイコン３５と接続されている。更に、外部メモリ３６の出力はカメラマイコン３５に接続されている。
【００１５】
カメラマイコン３５とレンズユニット１のレンズマイコン２０はマウント部を介して接続されている。また、カメラユニット２側にはバッテリ３７が設けられ、バッテリ３７の出力はカメラユニット２内のカメラ電源回路３８とレンズユニット１内のレンズ電源回路２９に接続され、レンズ電源回路２９の出力は電源スイッチ２７に接続されている。
【００１６】
レンズユニットに入射した被写体からの光束は、防振動作を行うＶＡＰ１１を通り、固定レンズ１２、変倍を行うズームレンズ１３、光量調節を行う絞り１４、シャッタ１５、固定の第３レンズ１６、フォーカシングを行うフォーカスレンズ１７を通る。これにより、被写体像はレンズユニット１を介して、カメラユニット２にある撮像素子３１上に結像する。
【００１７】
撮像素子３１で電子信号とされた映像信号は撮像処理手段３２に送られ、信号増幅などの信号を処理し、デジタル映像信号を作り出し、色補正、ホワイトバランスなどの撮像処理を行い適切な映像に変換される。更に、記録処理手段３３で映像信号を図示しないテープなどに映像を出力する。
【００１８】
また、映像信号を光量検出手段３４に送ることで、適正露出状態か判別する評価値作成を行い、また像の合焦状態を判別する評価値作成を行い、レンズ制御に必要な情報をカメラマイコン３５にデータを送信する。
【００１９】
上述したように、レンズマイコン２０とカメラマイコン３５とはマウント部の電気的な接点を介して相互通信を行って、両ユニット１、２に必要な互いのデータを相互通信している。レンズマイコン２０はカメラマイコン３５から受け取った各種の評価値や、操作情報を基に各種駆動部材を制御している。つまり、レンズマイコン２０は各駆動手段のそれぞれに指令を出して適切な映像になるように制御する。
【００２０】
例えば、レンズマイコン２０はフォーカスレンズ１７を駆動するフォーカスレンズ駆動手段２５、静止画撮影用に使われるシャッタ１５の開閉動作を行うためにシャッタ駆動手段２４、絞り１４の開閉動作を行うために絞り駆動手段２３に指示を出力している。また、レンズマイコン２０はズームレンズ１３の駆動用にズームレンズ駆動手段２２に、ＶＡＰ駆動手段２１によりＶＡＰ１１を平衡状態に保持するためにＶＡＰロック駆動手段２６に指示を出力している。
【００２１】
電力はカメラユニット２に電気的な接点を解して自在に取り外しができるバッテリ３７から供給され、カメラユニット２内の各電気部品はカメラ電源回路３８によって適切な電圧に変換されて配電されている。
【００２２】
カメラ電源回路３８からの出力は、電圧の違いと用途の違いによって分けられ、電圧の違いはそれぞれの電子部品に必要な電圧で分かれている。用途の違いとしては、デジタル処理などに使われるデジタル信号系用の電源、図示しない各種センサなどに使われるアナログ信号系用の電源、モータなどの駆動手段に使われるアナログ駆動系電源の複数に分かれている。
【００２３】
レンズユニット１のレンズ電源回路２９は、電気的な接点を持つマウント部を介して、バッテリ３７から送られてきた電力を基に、フラッシュＲＯＭ書換系、デジタル信号系、アナログ信号系、アナログ駆動系と複数に分けられて、それぞれに供給される。また、レンズ電源回路２９で分けられたそれぞれの電源は、電源スイッチ２７を介して、レンズマイコン２０からの指令により個別に電力の供給がオンオフされるようになっている。
【００２４】
レンズユニット１内のレンズマイコン２０は、フラッシュＲＯＭ２８に書かれたファームウエアを使って動作している。また、近年はマイコン内にフラッシュＲＯＭを内蔵しているものもあり、このフラッシュＲＯＭ内蔵タイプの場合には、フラッシュＲＯＭとマイコンを１つのフラッシュＲＯＭを内蔵するマイコンに置換してもよい。
【００２５】
ファームアップデートを行う場合には、新しいファームは外部メモリ３６に予め書き込んでおき、これをカメラユニット２に自在に抜き差しできる電気接点を介したマウント部に差込み、書き込みをスタートさせる。外部メモリ３６内のファームデータをカメラマイコン３５が読み取り、一時的にカメラマイコン３５内のＲＡＭに保存する。
【００２６】
また、カメラマイコン３５はレンズマイコン２０に通信して書換え用の初期通信を行った後に、レンズマイコン２０用のフラッシュＲＯＭ用データを送信する。レンズマイコン２０では初期通信時に、フラッシュＲＯＭ２８の書換えと通信プログラムをレンズマイコン２０内のＲＡＭに転送する。このＲＡＭ上から実行することで、書換え中にフラッシュＲＯＭ２８のデータが消されている状態でもフラッシュＲＯＭ２８の書換え動作が行えるようにする。
【００２７】
そして、書換え動作が開始されると、レンズマイコン２０はフラッシュＲＯＭ２８の内容を消去して、カメラマイコン３５から受け取った新しいファームデータを消去した場所に順次に書き込んでゆく。このように、カメラマイコン３５と通信しファームウエアデータを受け取り、受け取ったファームウエアデータを順次に書き込む一連の動作を繰り返すことで、フラッシュＲＯＭ２８内のファームウエアを新しいファームウエアに変更することができる。
【００２８】
図２はフラッシュＲＯＭ２８を書換える動作フローチャート図である。先ず、ステップＳ１からスタートして、ステップＳ２で通常のカメラとしての動作を行う。次に、ファームアップデートを実行するかを判断するステップＳ３に移り、ファームアップデートを実行する場合においては、カメラユニット２側に外部メモリ３６を挿入して、所定の動作をユーザが行うことにより、ファームアップデート動作に入る。もし、何もされない場合にはステップＳ２に戻り、通常のカメラ動作を続行する。
【００２９】
ファームアップデート動作に入ると、レンズユニット１側では駆動系停止動作を行い、ＶＡＰ１１の駆動、ズームレンズ１３、フォーカスレンズ１７の駆動、絞り１４の駆動、シャッタ１５の駆動を適切に停止する。
【００３０】
次のステップＳ５で、レンズマイコン２０から電源スイッチ２７に指令を出力し、駆動系に使われている電源のうち、デジタル信号系電源とアナログ駆動系電源とアナログ信号系電源をオフにする。なお、レンズ駆動用電源、シャッタ駆動用電源、ＶＡＰ駆動用電源、防振部材ロック用電源などの駆動系の電源は必ずしも全てオフにする必要はなく、例えば少ない使用電力の駆動系についてはオフにしなくとも済む場合もある。
【００３１】
ファームアップデートに必要なフラッシュＲＯＭ２８の書換系の電源、つまりレンズマイコン２０、フラッシュＲＯＭ２８などファームアップデートに必要なレンズユニット１への電源オンのままにしておく。
【００３２】
ステップＳ６において、レンズマイコン２０はカメラマイコン３５と通信し、ファームウエアデータを受け取り、受け取ったファームウエアデータを順次にフラッシュＲＯＭ２８に書き込みを繰り返すことで、新しいファームウエアに変更する処理を行う。
【００３３】
ステップＳ７で、全てのファームウエアデータをフラッシュＲＯＭ２８に書き込み終わったかどうかを判断し、終わっていない場合は終わるまでステップＳ６の処理を繰り返す。
【００３４】
終了していればステップＳ８において、ファームアップデートを終了し、レンズマイコン２０の再起動を行う。その際に、電源スイッチ２７は全てオンに変更され、スタートのステップＳ１に戻り、ステップＳ２の通常動作に戻る。
【００３５】
このような一連の作業を行うことによって、無駄な電力を削減してフラッシュＲＯＭ２８の書換え動作を行うことができ、容量不足の電源でもファームアップデートを無難に行うことができる。
【００３６】
なお、本発明に係る光学装置は、実施例のビデオカメラに限らず、各種のカメラシステムに適用することができる。
【図面の簡単な説明】
【００３７】
【図１】実施例のブロック回路構成図である。
【図２】動作フローチャート図である。
【符号の説明】
【００３８】
１  レンズユニット
２  カメラユニット
１１  ＶＡＰ
１３  ズームレンズ
１４  絞り
１５  シャッタ
１７  フォーカスレンズ
２０  レンズマイコン
２１  ＶＡＰ駆動手段
２２  ズームレンズ駆動手段
２３  絞り駆動手段
２４  シャッタ駆動手段
２５  フォーカスレンズ駆動手段
２６  ＶＡＰロック駆動手段
２７  電源スイッチ
２８  フラッシュＲＯＭ
２９  レンズ電源回路
３１  撮像素子
３２  撮像処理手段
３３  記録処理手段
３４  光量検出手段
３５  カメラマイコン
３６  外部メモリ
３７  バッテリ
３８  カメラ電源回路
【図１】
0005127511.tif 000002
【図２】
0005127511.tif 000003